(57)【要約】【課題】サイマル放送時に、アナログ放送用運用データ及びデジタル放送用運用データによる重複制御を防ぐようにした放送番組送出装置を提供する。【解決手段】自動番組送出制御装置１４において、サイマル番組送出時に、アナログ放送用ＯＡデータ及びデジタル放送用ＯＡデータのいずれか１つのみを選択して番組サーバ１１，１２及びスイッチャー１３の制御を実行するようにしている。【選択図】図１
2007020097.tif 000002
【特許請求の範囲】
【請求項１】
アナログ放送番組送出時に、アナログ放送運用データに基づいてアナログ放送番組素材信号を送出し、デジタル放送番組送出時に、デジタル放送運用データに基づいてデジタル放送番組素材信号を送出する放送番組送出装置であって、
同一の番組内容となるアナログ放送番組及びデジタル放送番組を含むサイマル放送番組送出時に、前記アナログ放送運用データ及び前記デジタル放送運用データのいずれか１つを選択する運用データ選択手段と、
この運用データ選択手段の選択運用データに従って、前記サイマル放送番組素材信号を送出する送出制御手段とを具備したことを特徴とする放送番組送出装置。
【請求項２】
前記運用データ選択手段は、前記サイマル放送番組送出時に、その旨をユーザに報知し、この報知に対しユーザが運用データの選択指示を入力した場合に前記アナログ放送運用データ及び前記デジタル放送運用データのいずれか１つを選択することを特徴とする請求項１記載の放送番組送出装置。
【請求項３】
前記運用データ選択手段は、
前記サイマル放送番組送出時に、その旨をユーザに報知し、この報知に対しユーザが運用データの選択指示を入力した場合に前記アナログ放送運用データ及び前記デジタル放送運用データのいずれか１つを選択する第１のモードと、
前記サイマル放送番組送出時に、自主的に前記アナログ放送運用データ及び前記デジタル放送運用データのいずれか１つを選択する第２のモードと、
ユーザのモード指定操作に応じて、前記第１及び第２のモードを選択的に実行させるモード選択制御手段とを備えたことを特徴とする請求項１記載の放送番組送出装置。
【発明の詳細な説明】
【技術分野】
【０００１】
この発明は、アナログ放送番組素材信号及びデジタル放送番組素材信号を送出する放送番組送出装置に関する。
【背景技術】
【０００２】
近年、地上波放送システムにおいて、デジタル放送が開始されている。このようなデジタル放送では、放送局用の機器やシステムとして、アナログ放送対応からデジタル技術の導入による番組制作のための放送局の設備までを含めたデジタル放送対応の移行期にある。この移行期において、アナログ放送とデジタル放送とが並存することになる（例えば、特許文献１）。
【０００３】
ところで、上記地上波デジタル放送にあっては、既存のアナログ放送からの移行期間中はアナログ放送と同一の番組内容を配信するサイマル放送が予定されている。このサイマル放送中にあっては、デジタル放送用運用データ（ＯＡデータ）、アナログ放送用運用データ（ＯＡデータ）が同一のデータとなる。
【特許文献１】特開平１１−１４６３５７号公報。
【発明の開示】
【発明が解決しようとする課題】
【０００４】
しかしながら、放送局内の自動番組送出制御装置（ＡＰＣ）では、デジタル放送用ＯＡデータに従って番組送出の制御を行い、一方、アナログ放送用ＯＡデータに従って番組送出の制御を行うため、デジタル放送用ＯＡデータとアナログ放送用ＯＡデータが同一であると、同一の番組素材機器に対して、同一のタイミングで同一の制御を行ってしまう。番組素材機器への制御はシリアル制御などが含まれており、同一タイミングでの同一制御は通信負荷上好ましくない。
【０００５】
そこで、この発明の目的は、サイマル放送時に、アナログ放送用運用データ及びデジタル放送用運用データによる重複制御を防ぐようにした放送番組送出装置を提供することにある。
【課題を解決するための手段】
【０００６】
この発明は、上記目的を達成するために、以下のように構成される。  
アナログ放送番組送出時に、アナログ放送運用データに基づいてアナログ放送番組素材信号を送出し、デジタル放送番組送出時に、デジタル放送運用データに基づいてデジタル放送番組素材信号を送出する放送番組送出装置であって、同一の番組内容となるアナログ放送番組及びデジタル放送番組を含むサイマル放送番組送出時に、アナログ放送運用データ及びデジタル放送運用データのいずれか１つを選択する運用データ選択手段と、この運用データ選択手段の選択運用データに従って、サイマル放送番組素材信号を送出する送出制御手段とを備えるようにしたものである。
【０００７】
この構成によれば、サイマル放送番組送出時に、アナログ放送運用データ及びデジタル放送運用データのいずれか１つのみが選択されることになるため、運用データの不要な使用を防止してサイマル放送番組素材信号の送出制御を行うことができる。このため、アナログ放送用運用データ及びデジタル放送用運用データによる重複制御を防ぐことができる。
【０００８】
運用データ選択手段は、サイマル放送番組送出時に、その旨をユーザに報知し、この報知に対しユーザが運用データの選択指示を入力した場合にアナログ放送運用データ及びデジタル放送運用データのいずれか１つを選択することを特徴とする。
【０００９】
この構成によれば、サイマル放送番組が送出されるごとに、ユーザが自身でどの運用データを使用するかを指示することができ、これにより真に必要な運用データのみを選択できる。
【００１０】
運用データ選択手段は、サイマル放送番組送出時に、その旨をユーザに報知し、この報知に対しユーザが運用データの選択指示を入力した場合にアナログ放送運用データ及びデジタル放送運用データのいずれか１つを選択する第１のモードと、サイマル放送番組送出時に、自主的にアナログ放送運用データ及びデジタル放送運用データのいずれか１つを選択する第２のモードと、ユーザのモード指定操作に応じて、第１及び第２のモードを選択的に実行させるモード選択制御手段とを備えたことを特徴とする。
【００１１】
この構成によれば、例えば運用状況に応じてモードを設定しておくことで、ある状況についてはサイマル放送番組送出時に自動的に運用データを選択し、一方別の状況についてはユーザ自身が使用する運用データを選択するというように、状況に応じて最適な運用データを選択することができる。
【発明の効果】
【００１２】
以上詳述したようにこの発明によれば、サイマル放送時に、アナログ放送用運用データ及びデジタル放送用運用データによる重複制御を防ぐようにした放送番組送出装置を提供することができる。
【発明を実施するための最良の形態】
【００１３】
以下、この発明の実施形態について図面を参照して詳細に説明する。  
図１は、この発明の一実施形態とする放送番組送出システムの概略構成を示すブロック図である。
【００１４】
図１のシステムにおいて、バス１０にはアナログ放送用の番組サーバ１１、デジタル放送用の番組サーバ１２、スイッチャー１３及び自動番組送出制御装置（ＡＰＣ）１４が接続される。
【００１５】
番組サーバ１１は放送すべきアナログ放送素材信号としてのアナログ放送番組データを記録し、自動番組送出制御装置１４からの再生指令信号に基づき、記録したアナログ放送番組データを再生してスイッチャー１３に出力する。また、自動番組送出制御装置１４からの再生停止指令信号に基づき、アナログ放送番組データを再生停止する。
【００１６】
番組サーバ１２は放送すべきデジタル放送素材信号としてのデジタル放送番組データを記録し、自動番組送出制御装置１４からの再生指令信号に基づき、記録したデジタル放送番組データを再生してスイッチャー１３に出力する。
【００１７】
これら番組サーバ１１,１２の出力は、スイッチャー１３によって選択的に導出され、以後、後段のエンコーダ等のスタジオ機器によって処理される。自動番組送出制御装置１４は、データサーバ（ＤＳ）１５から提供されるアナログ放送用ＯＡデータに従って、番組サーバ１１に再生指令信号または再生停止指令信号を送出した上で、スイッチャー１３の切替制御を行なう。また、自動番組送出制御装置１４は、データサーバ１５から提供されるデジタル放送用ＯＡデータに従って、番組サーバ１２に再生指令信号または再生停止指令信号を送出した上で、スイッチャー１３の切替制御を行なう。
【００１８】
ところで、この実施形態では、サイマル放送番組送出時に、データサーバ１５から自動番組送出制御装置１４に対し「サイマル放送番組」を示す情報を付加したアナログ放送用ＯＡデータ及びデジタル放送用ＯＡデータが同時に送られることになる。
【００１９】
そこで、自動番組送出制御装置１４は、ＯＡデータ選択機能と、通知処理機能と、サイマル放送番組送出制御機能とを備えるようにしている。ＯＡデータ選択機能は、到来するアナログ放送用ＯＡデータまたはデジタル放送用ＯＡデータに「サイマル放送番組」を示す情報を付加されているか否かを判定する。
【００２０】
通知処理機能は、上記ＯＡデータ選択機能において、「サイマル放送番組」を示す情報が付加されている場合に、その旨のメッセージをモニタ（図示せず）により表示させる。なお、モニタの代わりにＬＥＤ等の点滅或いは点灯やアラームを使用してもよい。
【００２１】
サイマル放送番組送出制御機能は、入力部（図示せず）からの選択指示に応じて選択されたデジタル放送用ＯＡデータに従って、番組サーバ１２に再生指令信号または再生停止指令信号を送出した上で、スイッチャー１３の切替制御を行なう。
【００２２】
次に、上記構成における放送番組送出システムの動作を説明する。図２は自動番組送出制御装置の制御手順とその内容を示すフローチャートである。
【００２３】
自動番組送出制御装置１４は、データサーバ１５から到来するアナログ放送用ＯＡデータに「サイマル番組」の情報が付加されているか否かの判断を行う（ステップＳＴ２ａ）。ここで、「サイマル番組」の情報が付加されている場合に（ＹＥＳ）、自動番組送出制御装置１４は「サイマル番組」の旨のメッセージをモニタに供給して表示させる（ステップＳＴ２ｂ）。従って、この表示により運用者（ユーザ）は「サイマル番組」を送出する旨を知ることができる。
【００２４】
この状態で運用者が、デジタル放送用ＯＡデータを使用するべく入力部において選択指示を入力したとする。そうすると自動番組送出制御装置１４は、ステップＳＴ２ｃからステップＳＴ２ｄに移行してここでアナログ放送用ＯＡデータに従った番組サーバ１１及びスイッチャー１３に対する制御を停止する。
【００２５】
なお、ステップＳＴ２ａにおいてアナログ放送用ＯＡデータに「サイマル番組」を示す情報が付加されていない場合（ＮＯ）、自動番組送出制御装置１４はアナログ放送用ＯＡデータに従って番組サーバ１１及びスイッチャー１３に対する制御を実行する（ステップＳＴ２ｅ）。また、運用者がデジタル放送用ＯＡデータの選択指示を所定時間経過しても入力しなかった場合には、アナログ放送用ＯＡデータに従って番組サーバ１１及びスイッチャー１３に対する制御を実行する。
【００２６】
以上のように上記実施形態では、自動番組送出制御装置１４において、サイマル番組送出時に、アナログ放送用ＯＡデータ及びデジタル放送用ＯＡデータのいずれか１つのみを選択して番組サーバ１１，１２及びスイッチャー１３の制御を実行するようにしているので、アナログ放送用ＯＡデータ及びデジタル放送用ＯＡデータの重複使用を防止してサイマル放送番組素材信号の送出制御を行うことができる。
【００２７】
また、上記実施形態では、アナログ放送用ＯＡデータに「サイマル番組」の情報が付加されている場合に、「サイマル番組」の旨のメッセージをモニタに表示し、運用者の指示を待って選択されたＯＡデータにより番組サーバ１１，１２及びスイッチャー１３の制御を実行するようにしている。このため、運用者が自身でどのＯＡデータを使用するかを指示することができ、これにより真に必要なＯＡデータのみを選択できる。
【００２８】
なお、上記実施形態では、アナログ放送用ＯＡデータに「サイマル番組」の情報が付加されている場合にその旨を一旦運用者に報知し、運用者が選択指示を入力した場合にデジタル放送用ＯＡデータにより番組サーバ１２及びスイッチャー１３を制御するようにした。
【００２９】
しかし、これに限定されるものではなく、アナログ放送用ＯＡデータに「サイマル番組」の情報が付加されている時点で、デジタル放送用ＯＡデータにより番組サーバ１２及びスイッチャー１３を制御するように構成してもよい。
【００３０】
また、上記運用者による選択指示の入力を待ってデジタル放送用ＯＡデータを選択するモードと、アナログ放送用ＯＡデータに「サイマル番組」の情報が付加されている時点で、デジタル放送用ＯＡデータにより番組サーバ１２及びスイッチャー１３を制御するモードとの両方を備え、運用者の選択指示に従いこれらのモードを選択的に動作させるようにしてもよい。
【００３１】
また、デジタル放送用ＯＡデータに「サイマル番組」の情報が付加されている場合に、運用者による選択指示でアナログ放送用ＯＡデータを選択するようにしてもよい。
【００３２】
その他、システム構成、ＯＡデータの選択手順等についても、この発明の要旨を逸脱しない範囲で種々変形して実施できる。
【図面の簡単な説明】
【００３３】
【図１】この発明の一実施形態とする放送番組送出システムの概略構成を示すブロック図。
【図２】同実施形態における自動番組送出制御装置の制御手順を示すフローチャート。
【符号の説明】
【００３４】
１０…バス、１１，１２…番組サーバ、１３…スイッチャー、１４…自動番組送出制御装置（ＡＰＣ）、１５…データサーバ（ＤＳ）。
【図１】
2007020097.tif 000003
【図２】
2007020097.tif 000004